(57)【要約】      （修正有）【課題】通気性及び快適性が良好で、下半身の血流循環を促進できる腰及び腰骨の骨盤矯正ベルトを提供する。【解決手段】腰及び腰骨の骨盤矯正ベルトは、腰部引き締めベルト１１と延長接続ベルト１２と腰骨引き締めベルト１３とを有する腰及び腰骨の骨盤矯正ベルトセット１０及び複数の鉱体２０（エベレストα石）を備える。複数の鉱体は腰及び腰骨の骨盤矯正ベルトセット内に分布されるよう収容され、腰及び腰骨の骨盤矯正ベルトセットを着用した際に、使用者の腰部及び臀部を引っ張って拘束する機能を備える。鉱体は腰及び腰骨の骨盤矯正ベルトセット内から遠赤外線及び共振周波数を放出し、使用者の下半身の血流循環を促進し、骨盤及び股関節の整体調整を行い、梨状筋及び神経が圧迫されないようにし、機能性及び構造の安定性を高める。【選択図】図１
0003226873.tif 000002
【実用新案登録請求の範囲】
【請求項１】
腰部引き締めベルト、延長接続ベルト、及び腰骨引き締めベルトが設置され、前記腰部引き締めベルトの中段には腰部載置タブが設置され、且つ前記腰部載置タブの両側には伸縮性ストレッチ固定ベルトがそれぞれ外に向けて延設され、２つの前記伸縮性ストレッチ固定ベルトには固定結合部がそれぞれ設けられ、且つ腰部載置タブ内は中空を呈すると共に複数の収容空間が設けられ、延長接続ベルトの上側は腰部引き締めベルトの腰部載置タブと一体に接続されるように設置され、且つ延長接続ベルトの底側は腰骨引き締めベルトと一体に接続されるように設置され、前記腰骨引き締めベルトの両側には伸縮性引張り固定ベルトがそれぞれ外に向けて延設され、２つの前記伸縮性引張り固定ベルトには固定結合部がそれぞれ設けられる腰及び腰骨の骨盤矯正ベルトセットと、
エベレストα石であり、腰及び腰骨の骨盤矯正ベルトセットの腰部引き締めベルトに設置される腰部載置タブの収容空間内に分布されるよう収容される複数の鉱体と、を備えることを特徴とする腰及び腰骨の骨盤矯正ベルト。
【請求項２】
前記腰部載置タブの中段の両側には対になって設置される腰部補助引き締めベルトがそれぞれ延設され、２つの前記腰部補助引き締めベルトには固定結合部がそれぞれ設けられることを特徴とする請求項１に記載の腰及び腰骨の骨盤矯正ベルト。
【請求項３】
前記腰部引き締めベルトの腰部補助引き締めベルトに設けられる固定結合部は相互に拘束するように固定されることを特徴とする請求項２に記載の腰及び腰骨の骨盤矯正ベルト。
【請求項４】
前記固定結合部は面ファスナーのフック及びループであり、または、雄結合部材及び雌結合部材であることを特徴とする請求項２に記載の腰及び腰骨の骨盤矯正ベルト。
【請求項５】
前記伸縮性引張り固定ベルトの固定結合部は面ファスナーのフック及びループであり、または、雄結合部材及び雌結合部材であることを特徴とする請求項１に記載の腰及び腰骨の骨盤矯正ベルト。
【請求項６】
前記エベレストα石は純度７０％〜９０％の間の範囲の二酸化ケイ素鉱物で構成され、前記二酸化ケイ素鉱物はダイヤモンド、ニッケル、マンガン、銅、鉄およびセレニウムの少なくともいずれかを含む微量元素を含み、高圧成形機により３トンの圧力で高圧成形が行われ、高温焼結装置により１３００℃の高温で更に加工が行われることで鉱体が形成され、鉱体が遠赤外線を発散させると共に共振周波数を発生させることを特徴とする請求項１に記載の腰及び腰骨の骨盤矯正ベルト。
【請求項７】
前記腰部引き締めベルトの伸縮性ストレッチ固定ベルトの固定結合部は相互に拘束するように固定され、腰骨引き締めベルトの伸縮性引張り固定ベルトは交差するように引っ張られた後に固定結合部により腰部引き締めベルトに固定結合されることを特徴とする請求項１に記載の腰及び腰骨の骨盤矯正ベルト。
【考案の詳細な説明】
【技術分野】
【０００１】
本考案は、腰及び腰骨の骨盤矯正ベルトに関し、より詳しくは、下肢骨格の拘束復元及び下肢の血流循環を促すための腰及び腰骨の骨盤矯正ベルトが属する技術分野に関する。
【背景技術】
【０００２】
図６は従来の整体バンドの構造を示し、該バンド３０は一体型の大面積状を呈すると共に被覆面部３１が設けられ、被覆面部３１の両側には外に向けて延伸される雄結合部３２及び雌結合部３３がそれぞれ別設されている。被覆面部３１が使用者の腰部及び臀部に覆設され、且つ雄結合部３２及び雌結合部３３が相互に堅固に結合されることで、被覆面部３１が使用者の腰部及び臀部を拘束し、ヒップアップ及び腰骨骨格の拘束を行い、下肢の血流循環を促進させる。
【考案の概要】
【考案が解決しようとする課題】
【０００３】
しかしながら、前述した従来の技術では、バンド３０は一体型の大面積状を呈する被覆面部３１が設けられるため、通気性及び快適性が低く、拘束及び被覆による締め付け効果及び安定性も低く、改良の必要があった。
【０００４】
そこで、本考案者は上記の欠点が改善可能と考え、鋭意検討を重ねた結果、合理的設計で上記の課題を効果的に改善する本考案の提案に到った。
【０００５】
本考案の主な目的は、上述の問題を解決するために、腰及び腰骨の骨盤矯正ベルトを提供することにある。
【課題を解決するための手段】
【０００６】
上記課題を解決するために、本考案のある態様の腰及び腰骨の骨盤矯正ベルトは、腰及び腰骨の骨盤矯正ベルトセット及び複数の鉱体を備えている。前記腰及び腰骨の骨盤矯正ベルトセットには腰部引き締めベルト、延長接続ベルト、及び腰骨引き締めベルトが設置され、前記腰部引き締めベルトの中段には腰部載置タブが設置されている。前記腰部載置タブの両側には伸縮性ストレッチ固定ベルトがそれぞれ外に向けて延設され、腰部載置タブの中段の両側には対になって設置される腰部補助引き締めベルトがそれぞれ延設されている。２つの前記伸縮性ストレッチ固定ベルト及び２つの腰部補助引き締めベルトには固定結合部がそれぞれ設けられ、前記固定結合部は面ファスナーのフック及びループまたは雄結合部材及び雌結合部材である。腰部載置タブ内は中空を呈すると共に複数の収容空間が設けられ、延長接続ベルトの上側は腰部引き締めベルトの腰部載置タブと一体に接続されるように設置され、且つ延長接続ベルトの底側は腰骨引き締めベルトと一体に接続されるように設置されている。前記腰骨引き締めベルトの両側には伸縮性引張り固定ベルトがそれぞれ外に向けて延設され、２つの前記伸縮性引張り固定ベルトには固定結合部がそれぞれ設けられている。前記固定結合部は面ファスナーのフック及びループまたは雄結合部材及び雌結合部材である。また、鉱体はエベレストα石であり、前記エベレストα石は純度７０％〜９０％の間の範囲の二酸化ケイ素鉱物で構成されている。前記二酸化ケイ素鉱物はダイヤモンド、ニッケル、マンガン、銅、鉄およびセレニウムの少なくともいずれかを含む微量元素を含み、高圧成形機により３トンの圧力で高圧成形が行われ、高温焼結装置により１３００℃の高温で更に加工されて鉱体が形成され、鉱体が遠赤外線を放射すると共に共振周波数を発生させる。複数の鉱体は腰及び腰骨の骨盤矯正ベルトセットの腰部引き締めベルトに設置される腰部載置タブの収容空間内に分布されるよう収容され、使用者が前記腰及び腰骨の骨盤矯正ベルトセットを装着すると、腰部引き締めベルトの腰部載置タブが使用者の腰部に位置決めされ、且つ伸縮性ストレッチ固定ベルト及び腰部補助引き締めベルトの固定結合部により拘束固定される。腰骨引き締めベルトが使用者の臀部を引っ張ると共に伸縮性引張り固定ベルトが交差するように引っ張られた後、固定結合部により腰部引き締めベルトに固定結合され、腰部及び臀部の引張り及び拘束機能が提供される。鉱体は腰部引き締めベルトに設置される腰部載置タブの収容空間内から遠赤外線及び共振周波数を放出し、使用者の下半身の血流循環を促進させ、梨状筋及び神経が圧迫されないようにし、機能性及び構造の安定性を高める効果を達成させる。
【図面の簡単な説明】
【０００７】
【図１】本考案に係る腰及び腰骨の骨盤矯正ベルトの一実施形態を正面から展開する概略図である。
【図２】本考案に係る腰及び腰骨の骨盤矯正ベルトの一実施形態を背面から展開する概略図である。
【図３】本考案に係る腰及び腰骨の骨盤矯正ベルトの一実施形態を側面の部分断面概略図である。
【図４】本考案に係る腰及び腰骨の骨盤矯正ベルトの一実施形態を着用する使用者の使用参照図である。
【図５】本考案の腰及び腰骨の骨盤矯正ベルトの一実施形態を着用してスクワットを行う場合の参照図である。
【図６】従来の腰及び腰骨の骨盤矯正ベルトのバンドの構成を整復する参照図である。
【図７】台湾工業技術研究院のエベレストα石による遠赤外線の放射の測定結果報告手書（遠赤外線放射波形図）である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【０００９】
本明細書及び図面の記載により、少なくとも、以下の事項が明らかとなる。
【００１０】
図１至３は本考案に係る腰及び腰骨の骨盤矯正ベルトの一実施形態を正面から展開する状態、背面から展開する状態、及び側面の部分断面状態の概略図を示す。その構成部材として腰及び腰骨の骨盤矯正ベルトセット１０及び複数の鉱体２０を備えている。その構造について下述する。
【００１１】
腰及び腰骨の骨盤矯正ベルトセット１０には腰部引き締めベルト１１、延長接続ベルト１２、及び腰骨引き締めベルト１３が設置され、前記腰部引き締めベルト１１の中段には腰部載置タブ１１０が設置されている。前記腰部載置タブ１１０の両側には伸縮性ストレッチ固定ベルト１１１がそれぞれ外に向けて延設され、腰部載置タブ１１０の中段の両側には対になって設置される腰部補助引き締めベルト１１２がそれぞれ延設されている。２つの前記伸縮性ストレッチ固定ベルト１１１及び２つの腰部補助引き締めベルト１１２には固定結合部１１１Ａ、１１２Ａがそれぞれ設けられ、前記固定結合部１１１Ａ、１１２Ａは、面ファスナーのフック及びループ、または雄結合部材及び雌結合部材である。腰部載置タブ１１０内は中空を呈すると共に複数の収容空間１１０Ａが設けられ、延長接続ベルト１２の上側は腰部引き締めベルト１１の腰部載置タブ１１０と一体に接続されるように設置され、延長接続ベルト１２の底側は腰骨引き締めベルト１３と一体に接続されるように設置されている。前記腰骨引き締めベルト１３の両側には伸縮性引張り固定ベルト１３０がそれぞれ外に向けて延設され、２つの前記伸縮性引張り固定ベルト１３０には固定結合部１３０Ａがそれぞれ設けられている。前記固定結合部１３０Ａは、面ファスナーのフック及びループ、または雄結合部材及び雌結合部材である。
【００１２】
複数の鉱体２０はエベレストα石であり、前記エベレストα石は純度７０％〜９０％の間の範囲の二酸化ケイ素鉱物で構成されている。前記二酸化ケイ素鉱物はダイヤモンド、ニッケル、マンガン、銅、鉄およびセレニウムの少なくともいずれかを含む微量元素を含み、高圧成形機により３トンの圧力で高圧成形され、高温焼結装置により１３００℃の高温で更に加工されて鉱体２０が形成され、鉱体２０が遠赤外線を放射すると共に共振周波数を発生させる。エベレストα石の遠赤外線放射率は付属文献を参照し、平均値は９１．３２％〜９３．３６％の間の範囲であり、具体的には明細書の添付図面７に示す台湾工業技術研究院によるエベレストα石の遠赤外線放射検知報告書の遠赤外線放射率の波形図及び表１に示す日本遠赤外線応用研究会による遠赤外線テスト報告書を参照する。
0003226873.tif 000003
【００１３】
また、遠赤外線の放射により血流量及び血流速度が向上する。エベレストα石未使用時の血流量が５０．６（１００％）、血流速度が３．９（１００％）であったが、エベレストα石使用時の血流量は５３．３（１０５％）まで高まり、血流速度は４．５（１１５％）まで速まった。具体的には表２に示す日本遠赤外線応用研究会による血流量及び血流速テストレポートを参照する。
0003226873.tif 000004
【００１４】
上述のデータによりエベレストα石が持続的に遠赤外線エネルギーを放射する作用を有していることが証明される。複数の鉱体２０は腰及び腰骨の骨盤矯正ベルトセット１０の腰部引き締めベルト１１に設置される腰部載置タブ１１０の収容空間１１０Ａ内に分布されるよう収容されている。
【００１５】
上述の構造の組み合わせにより、本考案に係る腰及び腰骨の骨盤矯正ベルトが完成する。
【００１６】
また、図２乃至図５は本考案に係る腰及び腰骨の骨盤矯正ベルトの一実施形態を背面から展開する状態、側面の部分断面状態、使用者が装着した使用状態、及び使用者が装着してスクワットを行う動作状態の参照図である。複数の鉱体２０は腰及び腰骨の骨盤矯正ベルトセット１０の腰部引き締めベルト１１に設置される腰部載置タブ１１０の収容空間１１０Ａ内に分布されるよう収容されている。使用者が前記腰及び腰骨の骨盤矯正ベルトセット１０を装着すると、腰部引き締めベルト１１の腰部載置タブ１１０相が使用者の腰部に対して位置決めされ、伸縮性ストレッチ固定ベルト１１１及び腰部補助引き締めベルト１１２の固定結合部１１１Ａ、１１２Ａにより拘束固定される。腰骨引き締めベルト１３が使用者の臀部を引っ張り、伸縮性引張り固定ベルト１３０が交差するように引っ張られた後に固定結合部１３０Ａにより腰部引き締めベルト１１に固定結合され、腰部及び臀部の引張り及び拘束機能が提供される。鉱体２０は腰部引き締めベルト１１に設置される腰部載置タブ１１０の収容空間１１０Ａ内から遠赤外線及び共振周波数を放出し、使用者の下半身の血流循環を促進し、梨状筋及び神経が圧迫されないようにし、機能性及び構造の安定性を向上させる効果を達成させる。
【００１７】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００１８】
１０  腰及び腰骨の骨盤矯正ベルトセット
１１  腰部引き締めベルト
１１０  腰部載置タブ
１１０Ａ  収容空間
１１１  伸縮性ストレッチ固定ベルト
１１１Ａ  固定結合部
１１２  腰部補助引き締めベルト
１１２Ａ  固定結合部
１２  延長接続ベルト
１３  腰骨引き締めベルト
１３０  伸縮性引張り固定ベルト(
１３０Ａ  固定結合部
２０  鉱体
３０  バンド
３１  被覆面部
３２  雄結合部
３３  雌結合部
【図１】
0003226873.tif 000005
【図２】
0003226873.tif 000006
【図３】
0003226873.tif 000007
【図４】
0003226873.tif 000008
【図５】
0003226873.tif 000009
【図６】
0003226873.tif 000010
【図７】
0003226873.tif 000011